(57)【要約】【課題】サポートバーの収納部にリモコン本体を収納するタイプである場合に、リモコン本体を収納部から取り出しやすく、収納しやすいように工夫した水廻り設備を提供する。【解決手段】身体を支えるためのサポートバー１１が設けられたキッチン、トイレ等の水廻り設備において、サポートバー１１の上面に収納部１１ｃが形成され、この収納部１１ｃに、水廻り設備の近傍に設置された昇降棚ユニット２等のリモコン操作機器を操作するためのリモコン本体１０を上方から着脱可能に収納している。リモコン本体１０に、リモコン本体１０を収納部１１ｃから取り出すための摘み部１０ｃが形成されている。使用時には、リモコン本体１０を収納部１１ｃから上方に取り出して操作できるとともに、不使用時には、リモコン本体１０を上方から収納部１１ｃに直ちに収納できる。【選択図】図５
2008048772.tif 000002
【特許請求の範囲】
【請求項１】
身体を支えるためのサポートバーが設けられたキッチン、トイレ等の水廻り設備において、
前記サポートバーの上面に収納部が形成され、この収納部に、水廻り設備の近傍に設置されたリモコン操作機器を操作するためのリモコン本体を上方から着脱可能に収納していることを特徴とする水廻り設備。
【請求項２】
前記リモコン本体に、リモコン本体を収納部から取り出すための摘み部が形成されていることを特徴とする請求項１に記載の水廻り設備。
【請求項３】
前記摘み部は、収納部との間の隙間の上方をオーバーハングしてカバーする大きさに設定されていることを特徴とする請求項２に記載の水廻り設備。
【請求項４】
前記収納部に収納されたリモコン本体の上部は、サポートバーの表面よりも内側となるように形成されていることを特徴とする請求項１〜３のいずれか一項に記載の水廻り設備。
【請求項５】
前記サポートバーに、収納部の上方を覆うカバー体が開閉可能に設けられていることを特徴とする請求項１〜４のいずれか一項に記載の水廻り設備。
【請求項６】
前記収納部の底部に水抜き穴が形成されていることを特徴とする請求項１〜５のいずれか一項に記載の水廻り設備。
【発明の詳細な説明】
【技術分野】
【０００１】
本発明は、身体を支えるためのサポートバーが設けられたキッチンやトイレ等の水廻り設備に関する。
【背景技術】
【０００２】
従来、キャビネットの前面上部に、スイッチ付きのもたれバー（サポートバー）を備えたキッチンが提案されている（特許文献１参照）。
【０００３】
その目的とするところは、照明、換気扇、水栓、給湯器等のようなキッチンで使用される機器のスイッチ操作のために移動等する手間を省き、手元で集中的にスイッチ操作できる多機能なもたれバーを備えたキッチンを実現することである。
【０００４】
この背景技術は、具体的には、もたれバーのスイッチ取付孔内にスイッチ装置を装入してビス等で固定し、スイッチ装置とキッチンで使用される機器とを電線で接続するものである。
【０００５】
また、もたれバーにスイッチ装置を着脱自在に取り付けるために、もたれバーにスイッチ装置の取り付け片を引っ掛けて弾力的に装着するタイプもあり、このような着脱自在のスイッチ装置の場合には、ワイヤレスタイプのリモートスイッチにすることも可能であるとしている。
【特許文献１】特開２００２−１５３３３９号公報
【発明の開示】
【発明が解決しようとする課題】
【０００６】
しかしながら、背景技術のようなキッチンに限らず、トイレ等の水廻り設備に設けられた、身体を支えるためのサポートバーに形成した収納部に、水廻り設備の近傍に設置されたリモコン操作機器を操作するためのリモコン本体を収納するタイプとするような場合には、リモコン本体を収納部から取り出しやすくすること、リモコン本体を収納部に収納しやすくすること等のような工夫が要望されている。
【０００７】
本発明は、前記要望に応えるためになされたもので、サポートバーの収納部にリモコン本体を収納するタイプである場合に、リモコン本体を収納部から取り出しやすく、収納しやすいように工夫した水廻り設備を提供することを目的とするものである。
【課題を解決するための手段】
【０００８】
前記課題を解決するために、本発明は、身体を支えるためのサポートバーが設けられたキッチン、トイレ等の水廻り設備において、前記サポートバーの上面に収納部が形成され、この収納部に、水廻り設備の近傍に設置されたリモコン操作機器を操作するためのリモコン本体を上方から着脱可能に収納していることを特徴とする水廻り設備を提供するものである。
【０００９】
請求項２のように、前記リモコン本体に、リモコン本体を収納部から取り出すための摘み部が形成されていることが好ましい。
【００１０】
請求項３のように、前記摘み部は、収納部との間の隙間の上方をオーバーハングしてカバーする大きさに設定されていることが好ましい。
【００１１】
請求項４のように、前記収納部に収納されたリモコン本体の上部は、サポートバーの表面よりも内側となるように形成されていることが好ましい。
【００１２】
請求項５のように、前記サポートバーに、収納部の上方を覆うカバー体が開閉可能に設けられている構成とすることができる。
【００１３】
請求項６のように、前記収納部の底部に水抜き穴が形成されていることが好ましい。
【発明の効果】
【００１４】
本発明によれば、サポートバーの上面の収納部に、リモコン本体を上方から着脱可能に収納することができるから、使用時には、リモコン本体を収納部から上方に取り出すことで、サポートバーの近辺においてリモコン操作機器を操作できるとともに、不使用時には、リモコン本体を上方から収納部に直ちに収納できるので、リモコン本体を別の場所に置き忘れ、あるいは紛失するおそれがなくなる。
【００１５】
請求項２によれば、リモコン本体の摘み部を摘むことで、リモコン本体を収納部から簡単に取り出すことができる。
【００１６】
請求項３によれば、収納部との間の隙間の上方をオーバーハングしてカバーする大きさにリモコン本体の摘み部を設定することで、この隙間から収納部内に飛水等が入りにくくなるので、収納部に収納したリモコン本体の電子部品等に悪影響を与えるおそれがなくなる。
【００１７】
請求項４によれば、リモコン本体の上部がサポートバーの表面よりも内側となるように形成することで、サポートバーを握った時等に手がリモコン本体のスイッチ類に触れにくくなるので、誤操作を未然に防止できるようになる。
【００１８】
請求項５によれば、サポートバーの収納部の上方をカバー体で覆うことができるから、収納部に収納された不使用時のリモコン本体に飛水等がかからないので、汚れなくなり、リモコン本体が外部から見えないので、見栄えが良好になるとともに、収納部内に飛水等が入りにくくなるので、収納部に収納したリモコン本体の電子部品等に悪影響を与えるおそれがなくなる。
【００１９】
請求項６によれば、収納部内に飛水等が入っても、直ちに水抜き穴から収納部の外部に排出されて溜まらないので、収納部に収納したリモコン本体の電子部品等に悪影響を与えるおそれがなくなる。
【発明を実施するための最良の形態】
【００２０】
以下、本発明を実施するための最良の形態について、図面を参照しながら詳細に説明する。
【００２１】
図１および図２に示すように、水廻り設備、例えばキッチンには、フロアキャビネット１が設置されているとともに、フロアキャビネット１の上方には、昇降棚ユニット２が設置されている。
【００２２】
フロアキャビネット１の上には、シンク３や電磁調理器４等が配置され、フロアキャビネット１の前面側には、シンク３に対応させて、引き出し可能な収納イス５が設けられている。
【００２３】
昇降棚ユニット２は電動式であり、例えば２台の収納棚２Ｂ，２Ｃがそれぞれ独立に昇降できるように設けられている。収納棚２Ｂ，２Ｃの内、シンク３で洗った食器等を収納する収納棚には、乾燥器（不図示）が付設されている場合がある。昇降棚ユニット２の横には、昇降式換気扇２Ａが設置されている。また、キッチンの天井等には、キッチンを照明するための照明器具（不図示）が取り付けられている。
【００２４】
電動式の昇降棚ユニット２、乾燥器、昇降式換気扇２Ａ、照明器具等は、水廻り設備の近傍に設置されたリモコン操作機器を構成する。
【００２５】
これらのリモコン操作機器は、リモコン本体１０（図４参照）のスイッチ操作で操作することができる。昇降棚ユニット２は、例えば上昇・下降・停止の操作、乾燥器のオンオフや強弱、タイマー等を操作することができ、照明器具は、例えばオンオフや明暗等を操作することができる。
【００２６】
フロアキャビネット１の前面上部には、身体を支えるためのサポートバー１１が着脱可能に取り付けられている。
【００２７】
このサポートバー１１は、図３、図４（ａ）（ｂ）および図５（ａ）に詳細に示すように、断面が略楕円形状の横長棒状体で構成されて、両端部付近には、フロアキャビネット１の方向に突出するスライド部材９がそれぞれ設けられている。
【００２８】
フロアキャビネット１の前面上部、つまりカウンター６の下面には、左右方向に延在するレール部材７が取り付けられ、このレール部材７には、手前側に開口する係合溝７ａが形成され、この係合溝７ａは、前後方向に延びる基部溝７ｂと、基部溝７ｂの奥側で斜め上方に立ち上がる立上り溝７ｃとからなり、側面視で略Ｌ字状をなしている。
【００２９】
サポートバー１１のスライド部材９は、レール部材７の係合溝７ａに嵌り込んで係合する係合部９ａを有している。この係合部９ａは、前後方向に延びて、レール部材７の係合溝７ａの基部溝７ｂの下面に載置可能な基部９ｂと、基部９ｂの奥側で斜め上方に立ち上がって、レール部材７の係合溝７ａの立上り溝７ｃに係合可能な立上り部９ｃとからなり、側面視で略Ｌ字状をなしている。
【００３０】
サポートバー１１のスライド部材９は、前方からレール部材７に取り付けたり、レール部材７から取り外したりすることができる。
【００３１】
すなわち、スライド部材９をレール部材７から取外すには、図７（ａ）の取り付け状態から図７（ｂ）のように、サポートバー１１とともにスライド部材９を矢印ａのように持ち上げて、係合部９ａを上から下に回し操作する。この状態で、図７（ｃ）のように、サポートバー１１とともにスライド部材９の係合部９ａを矢印ｂのように手前側（同図中の左側）に引き抜けば、前方からの操作でサポートバー１１とともにスライド部材９をレール部材７から取外すことができる。
【００３２】
逆に、サポートバー１１とＡともにスライド部材９をレール部材７に取り付けるには、前記操作とは逆にすればよい。すなわち、図７（ｃ）の取外し状態から図７（ｂ）のように、サポートバー１１とともにスライド部材９の係合部９ａをレール部材７の係合溝７ａに嵌め込み、この状態でサポートバー１１とともにスライド部材９の係合部９ａを下から上に回し操作すれば、図７（ａ）のように、立上り部９ｃが立上り溝７ｃに係合するとともに基部９ｂが基部溝７ｂの下面に載ることで、サポートバー１１とスライド部材９の自重によって係合部９ａの係合溝７ａへの係合状態が維持されるようになる。
【００３３】
サポートバー１１は、レール部材７の延在長さの範囲で、フロアキャビネット１の任意の位置に自由にスライドさせることができる。
【００３４】
図４（ａ）（ｂ）および図５（ｂ）に詳細に示したように、サポートバー１１の上面には、長さ方向の両側位置に、長さ方向に延びる長方形状の凹部１１ａがそれぞれ形成されるとともに、この凹部１１ａの上側の約１／３は切除されて段部１１ｂに形成されている。この凹部１１ａには、別部材である上面開口の箱状収納部１１ｃが嵌め込み固定されて、この収納部１１ｃの上フランジ部１１ｄが段部１１ｂの切除面を覆うとともに、凹部１１ａとの間の隙間１１ｅを覆っている。収納部１１ｃの底部には、凹部１１ａとの間の隙間１１ｅに通じる複数個の水抜き穴１１ｆが形成されている。
【００３５】
リモコン本体１０は２個設けられて、サポートバー１１の各収納部１１ｃに上方からそれぞれ着脱可能に収納可能な直方体形状に形成されるとともに、上面の操作パネル１０ａにスイッチ類１０ｂが設けられている。
【００３６】
左側のリモコン本体１０は、例えば換気扇２Ａと収納棚２Ｂの上昇・下降・停止の操作、乾燥器のオンオフや強弱、タイマー等の操作と照明器具のオンオフや明暗等の操作をすることができ、右側のリモコン本体１０は、例えば収納棚２Ｃの上昇・下降・停止の操作と照明器具のオンオフや明暗等の操作をすることができる。
【００３７】
リモコン本体１０の上部には、収納部１１ｃとの間の隙間１１ｇの上方をオーバーハングしてカバーする大きさに設定された摘み部１０ｃが形成され、この摘み部１０ｃは、リモコン本体１０を収納部１１ｃから上方に取り出す時に指で摘むことができる。
【００３８】
また、収納部１１ｃに収納されたリモコン本体１０の上部は、サポートバー１１の表面の輪郭線〔図４（ａ）（ｂ）のａ参照〕よりも内側となるように形成されている。
【００３９】
図５（ａ）に示したリモコン本体１０は、後述するカバー体１２が設けられていないタイプのサポートバー１１に適用するもので、摘み部１０ｃは、サポートバー１１の表面の輪郭線〔図４（ａ）（ｂ）のａ参照〕と同形状若しくは僅かに内側となるように形成され、上面の窪み部１０ｄの底に操作パネル１０ａが設けられていることで、操作パネル１０ａがサポートバー１１の表面の輪郭線よりも内側となっている。
【００４０】
図５（ｂ）のリモコン本体１０は、図４（ａ）（ｂ）に示したリモコン本体１０と同形状にものであり、図４（ａ）（ｂ）のように、後述するカバー体１２が設けられていないタイプのサポートバー１１でも適用することができる。
【００４１】
図５（ｂ）に示したように、サポートバー１１には、収納部１１ｃの上方を覆うカバー体１２をヒンジ部１１ｈでカウンター６側に開閉可能に設けることができる。
【００４２】
同様に、図６（ａ）の示したように、サポートバー１１には、収納部１１ｃの上方を覆うカバー体１２をスライド部１１ｉでカウンター６側に開閉可能に設けることができる。
【００４３】
図６（ｂ）は、図５（ａ）のカバー体１２が設けられていないタイプのサポートバー１１に適用するもので、リモコン本体１０は、カバー体１２が設けられている図５（ｂ）等のタイプとほぼ同形状とするとともに、収納部１１ｃの上フランジ部１１ｄは、サポートバー１１の表面の輪郭線〔図４（ａ）（ｂ）のａ参照〕に沿って上方に立ち上げたものである。
【００４４】
本例では、リモコン本体１０の上部の摘み部１０ｃをそのままでは指で摘むことが困難であるが、例えば、リモコン本体１０を上方からプッシュ操作（１回目）することで、収納部１１ｃ内にロックするとともに、収納部１１ｃ内でロックされたリモコン本体１０を上方からプッシュ操作（２回目）することで、スプリング力でリモコン本体１０を収納部１１ｃの上部に持ち上げるようにした、いわゆるプッシュ・プッシュ機構を採用することで、リモコン本体１０の上部の摘み部１０ｃを指で摘むことが可能になる。
【００４５】
前記のようにサポートバー１１を構成すれば、サポートバー１１の上面の収納部１１ｃに、リモコン本体１０を上方から着脱可能に収納することができるから、使用時には、リモコン本体１０を収納部１１ｃから上方に取り出すことで、サポートバー１１の近辺において昇降棚ユニット２等のリモコン操作機器を操作できるとともに、不使用時には、リモコン本体１０を上方から収納部１１ｃに直ちに収納できるので、リモコン本体１０を別の場所に置き忘れ、あるいは紛失するおそれがなくなる。
【００４６】
また、リモコン本体１０に、リモコン本体１０を収納部１１ｃから取り出すための摘み部１０ｃを形成することで、この摘み部１０ｃを摘むことで、リモコン本体１０を収納部１１ｃから簡単に取り出すことができる。
【００４７】
さらに、摘み部１０ｃを収納部１１ｃとの間の隙間１１ｇの上方をオーバーハングしてカバーする大きさに設定することで、この隙間１１ｇから収納部１１ｃ内に飛水等が入りにくくなるので、収納部１１ｃに収納したリモコン本体１０の電子部品等に悪影響を与えるおそれがなくなる。
【００４８】
さらにまた、収納部１１ｃに収納されたリモコン本体１０の上部は、サポートバー１１の表面よりも内側となるように形成することで、サポートバー１１を握った時等に手がリモコン本体１０のスイッチ類１０ｂに触れにくくなるので、誤操作を未然に防止できるようになる。
【００４９】
また、サポートバー１１に、収納部１１ｃの上方を覆うカバー体１２を開閉可能に設けることで、収納部１１ｃに収納された不使用時のリモコン本体１０に飛水等がかからないので、汚れなくなり、リモコン本体１０が外部から見えないので、見栄えが良好になるとともに、収納部１１ｃ内に飛水等が入りにくくなるので、収納部１１ｃに収納したリモコン本体１０の電子部品等に悪影響を与えるおそれがなくなる。
【００５０】
さらに、サポートバー１１の収納部１１ｃの底部に水抜き穴１１ｆを形成したから、収納部１１ｃ内に飛水等が入っても、直ちに水抜き穴１１ｆから収納部１１ｃの外部である隙間１１ｅに排出されて溜まらないので、収納部１１ｃに収納したリモコン本体１０の電子部品等に悪影響を与えるおそれがなくなる。
【００５１】
前記実施形態では、サポートバー１１は、フロアキャビネット１のレール部材７に対して取り付け、取り外しできるようになっていたが、フロアキャビネット１に固定されたものであっても良い。
【００５２】
前記実施形態では、キッチンのサポートバー１１であったが、それ以外に、トイレ、バスユニット、洗面所等の水廻り設備に設けられたサポートバーにも適用することができる。
【図面の簡単な説明】
【００５３】
【図１】本発明の実施形態に係るサポートバーを設けたキッチンの斜視図である。
【図２】昇降棚ユニットの収納棚等を下降させた図１のキッチンの斜視図である。
【図３】シンクの前部分に設けたサポートバーの斜視図である。
【図４】サポートバーであり、（ａ）はリモコン本体を収納した斜視図、（ｂ）はリモコン本体を取り出した斜視図である。
【図５】（ａ）は、カバー体が設けられていないタイプのサポートバーの断面図、（ｂ）は、ヒンジ式カバー体が設けられているタイプのサポートバーの断面図である。
【図６】（ａ）は、スライド式カバー体が設けられているタイプのサポートバーの断面図、（ｂ）は、カバー体が設けられていないタイプの変形例のサポートバーの断面図である。
【図７】（ａ）〜（ｃ）は、サポートバーの取り付け、取り外し要領の説明図である。
【符号の説明】
【００５４】
１      フロアキャビネット（水廻り設備）
２      昇降棚ユニット（リモコン操作機器）
３      シンク
７      レール部材
９      スライド部材
１０    リモコン本体
１０ａ  操作パネル
１０ｃ  摘み部
１１    サポートバー
１１ａ  凹部
１１ｃ  収納部
１１ｆ  水抜き穴
１２    カバー体
【図１】
2008048772.tif 000003
【図２】
2008048772.tif 000004
【図３】
2008048772.tif 000005
【図４】
2008048772.tif 000006
【図５】
2008048772.tif 000007
【図６】
2008048772.tif 000008
【図７】
2008048772.tif 000009